(57)【要約】【課題】火災検出装置の検出精度を向上させることが可能となる、火災検出装置を提供すること。【解決手段】火災検出装置１は、検出対象の検出を行う検出空間６０と、検出空間６０を収容する内カバー３０であって、検出対象を含む気体を当該内カバー３０に流入出させることが可能な内カバー３０と、内カバー３０を収容する外カバー２０であって、気体を当該外カバー２０に流入出させることが可能な外カバー２０と、内カバー３０と外カバー２０との相互間の隙間に設けられた複数のリブ１１０と、を備え、複数のリブ１１０によって隙間が仕切られることで、外カバー２０に流入した気体を内カバー３０における気体の流入部分に誘導するための第１流入空間から第８流入空間が形成されるように、複数のリブ１１０を構成した。【選択図】図３
2020013396.tif 000002
【特許請求の範囲】
【請求項１】
監視領域の火災を検出するための火災検出装置であって、
検出対象の検出を行う検出空間と、
前記検出空間を収容する内側収容手段であって、前記検出対象を含む気体を当該内側収容手段に流入出させることが可能な内側収容手段と、
前記内側収容手段を収容する外側収容手段であって、前記気体を当該外側収容手段に流入出させることが可能な外側収容手段と、
前記内側収容手段と前記外側収容手段との相互間の隙間に設けられた複数のリブと、を備え、
前記複数のリブによって前記隙間が仕切られることで、前記外側収容手段に流入した前記気体を前記内側収容手段における前記気体の流入部分に誘導するための流入空間が複数形成されるように、前記複数のリブを構成した、
火災検出装置。
【請求項２】
前記複数のリブを、前記内側収容手段の中心側から外側に向けて放射状に配置した、
請求項１に記載の火災検出装置。
【請求項３】
前記複数のリブの一部を、十字状に配置し、
前記複数のリブの他の一部を、前記十字状に配置されたリブ同士の相互間において他のリブと当接しないように配置した、
請求項２に記載の火災検出装置。
【請求項４】
前記十字状に配置されたリブによって仕切られた前記流入空間に流入した前記気体が他の流入空間に直接流出しないように、前記複数のリブを構成した、
請求項３に記載の火災検出装置。
【請求項５】
前記複数のリブのうち少なくとも一部のリブが他のリブと当接しないように、前記複数のリブを配置した、
請求項１又は２に記載の火災検出装置。
【請求項６】
前記複数のリブを、前記内側収容手段又は前記外側収容手段と一体に形成した、
請求項１から５のいずれか一項に記載の火災検出装置。
【発明の詳細な説明】
【技術分野】
【０００１】
本発明は、火災検出装置に関する。
【背景技術】
【０００２】
従来、監視領域の火災を検出する煙感知器を対象として、煙感知器の内部において、検出空間に煙を流入させるための流入空間を設ける技術が提案されている。この技術においては、検出空間の下面を覆うベース板、及び検出空間の外縁を覆う複数のラビリンス材であって相互に間隔を隔ててベース板に対して立設されたラビリンス材を有するラビリンスと、検出空間の上面を覆う検煙部本体と、ラビリンス及び検煙部本体を覆うように設けられたカバー部材であって、外部からの煙を流入させるための複数の煙流入口を有するカバー部材と、カバー部材の内部においてラビリンス（具体的には、ラビリンス材）とカバー部材の側壁との相互間に設けられた流入空間と、を備えた煙感知器が構成されている。このような煙感知器により、カバー部材の外部にある煙を複数の煙流入口のいずれかを介して流入空間に流入させ、当該流入させた煙をラビリンス材同士の相互間の隙間を介して検出空間に流入させることができる。
【先行技術文献】
【特許文献】
【０００３】
【特許文献１】特開２００４−２２０２２５号公報
【発明の概要】
【発明が解決しようとする課題】
【０００４】
ここで、上記従来の技術においては、上述したように、検出空間が複数のラビリンス材によって覆われているので、例えば、複数のラビリンス材によって検出空間への煙の流入が阻害されることにより、流入空間に流入した煙が検出空間に流入することなく煙流入口を介してカバー部材の外部に流出してしまうことから、煙の検出に悪影響を与える可能性があった。よって、煙感知器の如き火災検出装置の検出精度を向上させる観点からは改善の余地があった。
【０００５】
本発明は上記問題に鑑みてなされたもので、火災検出装置の検出精度を向上させることが可能となる、火災検出装置を提供することを目的とする。
【課題を解決するための手段】
【０００６】
上述した課題を解決し、目的を達成するために、請求項１に記載の火災検出装置は、監視領域の火災を検出するための火災検出装置であって、検出対象の検出を行う検出空間と、前記検出空間を収容する内側収容手段であって、前記検出対象を含む気体を当該内側収容手段に流入出させることが可能な内側収容手段と、前記内側収容手段を収容する外側収容手段であって、前記気体を当該外側収容手段に流入出させることが可能な外側収容手段と、前記内側収容手段と前記外側収容手段との相互間の隙間に設けられた複数のリブと、を備え、前記複数のリブによって前記隙間が仕切られることで、前記外側収容手段に流入した前記気体を前記内側収容手段における前記気体の流入部分に誘導するための流入空間が複数形成されるように、前記複数のリブを構成した。
【０００７】
請求項２に記載の火災検出装置は、請求項１に記載の火災検出装置において、前記複数のリブを、前記内側収容手段の中心側から外側に向けて放射状に配置した。
【０００８】
請求項３に記載の火災検出装置は、請求項２に記載の火災検出装置において、前記複数のリブの一部を、十字状に配置し、前記複数のリブの他の一部を、前記十字状に配置されたリブ同士の相互間において他のリブと当接しないように配置した。
【０００９】
請求項４に記載の火災検出装置は、請求項３に記載の火災検出装置において、前記十字状に配置されたリブによって仕切られた前記流入空間に流入した前記気体が他の流入空間に直接流出しないように、前記複数のリブを構成した。
【００１０】
請求項５に記載の火災検出装置は、請求項１又は２に記載の火災検出装置において、前記複数のリブのうち少なくとも一部のリブが他のリブと当接しないように、前記複数のリブを配置した。
【００１１】
請求項６に記載の火災検出装置は、請求項１から５のいずれか一項に記載の火災検出装置において、前記複数のリブを、前記内側収容手段又は前記外側収容手段と一体に形成した。
【発明の効果】
【００１２】
請求項１に記載の火災検出装置によれば、複数のリブによって隙間が仕切られることで、外側収容手段に流入した気体を内側収容手段における気体の流入部分に誘導するための流入空間が複数形成されるように、複数のリブを構成したので、複数の流入空間によって外側収容手段に流入した気体を内側収容手段における気体の流入部分に確実に誘導でき、外側収容手段に流入した気体が内側収容手段に流入することなく外部に流出することを抑制できる。よって、従来技術（カバー部材の内部において、検出空間をラビリンスで覆う技術）に比べて、内側収容手段への気体の流入性を高めることができ、火災検出装置の検出精度を向上させることができる。
【００１３】
請求項２に記載の火災検出装置によれば、複数のリブを、内側収容手段の中心側から外側に向けて放射状に配置したので、複数の流入空間を放射状に形成でき、外側収容手段に流入する気体の方向依存性を低減できる。
【００１４】
請求項３に記載の火災検出装置によれば、複数のリブの他の一部を、十字状に配置されたリブ同士の相互間において他のリブと当接しないように配置したので、複数のリブの各々を他のリブと当接するように配置した場合に比べて、内側収容手段における気体の流入部分の圧力が過度に高くなることを抑制でき、内側収容手段への気体の流入性を確保しやすくなる。
【００１５】
請求項４に記載の火災検出装置によれば、十字状に配置されたリブによって仕切られた流入空間に流入した気体が他の流入空間に直接流出しないように、複数のリブを構成したので、十字状に配置されたリブによって仕切られた流入空間に流入した気体が他の流入空間に流入することを回避でき、外側収容手段に流入した気体が内側収容手段に流入することなく外部に流出することを一層抑制できる。
【００１６】
請求項５に記載の火災検出装置によれば、複数のリブのうち少なくとも一部のリブが他のリブと当接しないように、複数のリブを配置したので、複数のリブの各々を他のリブと当接するように配置した場合に比べて、内側収容手段における気体の流入部分の圧力が過度に高くなることを抑制でき、内側収容手段への気体の流入性を確保しやすくなる。
【００１７】
請求項６に記載の火災検出装置によれば、複数のリブを、内側収容手段又は外側収容手段と一体に形成したので、複数のリブを簡易に形成でき、火災検出装置の製造性を向上させることができる。
【図面の簡単な説明】
【００１８】
【図１】実施の形態に係る火災検出装置の取付状況を示す側面図である。
【図２】取付ベースを取り外した状態の火災検出装置を示す底面図である。
【図３】図２のＡ−Ａ矢視断面図である。
【図４】外カバーを示す斜視図である。
【図５】外カバーの変形例を示す斜視図である。
【図６】外カバーの変形例を示す斜視図である。
【図７】外カバーの変形例を示す斜視図である。
【発明を実施するための形態】
【００１９】
以下に、本発明に係る火災検出装置の実施の形態を図面に基づいて詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２０】
〔Ｉ〕実施の形態の基本的概念
まず、実施の形態の基本的概念について説明する。実施の形態は、概略的に、監視領域の火災を検出するための火災検出装置に関するものである。
【００２１】
ここで、「火災検出装置」は、実施の形態では、監視領域の火災を光学的に検出して報知する装置であり、例えば、光学的な火災感知器や火災警報器等を含む概念である。また、「監視領域」とは、監視の対象となる領域であって、例えば、建物の内部の領域、建物の外部の領域等を含む概念である。また、「建物」とは、その具体的な構造や種類は任意であるが、例えば、戸建て住宅、アパートやマンションの如き集合住宅、オフィスビル、イベント施設、商業施設、及び公共施設等を含む概念である。また、「報知する」とは、例えば、所定情報を外部装置に向けて出力すること、所定情報を出力手段（表示手段又は音声出力手段）を介して表示又は音声出力すること等を含む概念である。以下、実施の形態では、「火災検出装置」が、「光学的な火災感知器」であり、「監視領域」が「オフィスビルの内部の領域」である場合について説明する。
【００２２】
〔ＩＩ〕実施の形態の具体的内容
次に、実施の形態の具体的内容について説明する。
【００２３】
（構成）
まず、実施の形態に係る火災検出装置の構成について説明する。図１は、実施の形態に係る火災検出装置の取付状況を示す側面図である。図２は、後述の取付ベースを取り外した状態の火災検出装置を示す底面図である。図３は、図２のＡ−Ａ矢視断面図である。以下の説明では、図１のＸ方向を火災検出装置の左右方向（＋Ｘ方向を火災検出装置の左方向、−Ｘ方向を火災検出装置の右方向）、図２のＹ方向を火災検出装置の前後方向（＋Ｙ方向を火災検出装置の前方向、−Ｙ方向を火災検出装置の後方向）、図１のＺ方向を火災検出装置の上下方向（＋Ｚ方向を火災検出装置の上方向、−Ｚ方向を火災検出装置の下方向）と称する。また、図３の後述の検出空間を基準として、後述の検出空間から離れる方向を「外側」と称し、後述の検出空間に近づく方向を「内側」と称する。
【００２４】
火災検出装置１は、気体に含まれている検出対象（例えば、煙等）を検出して報知する装置である。この火災検出装置１は、建物の屋内において建物の天井部の下面にある設置面２に設置されており、図１から図３に示すように、取付ベース１０、外カバー２０、内カバー３０、流入空間４０、防虫網５０、検出空間６０、検出部カバー７０、検出部本体８０、端子盤９０、及び基板１００を備えている。
【００２５】
（構成−取付ベース）
図１に戻り、取付ベース１０は、設置面２に対して外カバー２０を取り付けるための取付手段である。この取付ベース１０は、例えば公知の火災検出装置用の取付ベース（一例として、樹脂製である略板状の取付ベース）等を用いて構成されており、図１に示すように、設置面２に対して固定具等によって固定されている。
【００２６】
（構成−外カバー）
外カバー２０は、内カバー３０、流入空間４０、防虫網５０、検出空間６０、検出部カバー７０、検出部本体８０、端子盤９０、及び基板１００を収容する外側収容手段である。この外カバー２０は、例えば遮光性を有する樹脂材にて形成されており、図１から図３に示すように、外カバー本体２１、及び天面部２２を備えている。
【００２７】
このうち、外カバー本体２１は、外カバー２０の基本構造体である。この外カバー本体２１は、例えば上面及び下面が開放された略中空円柱状体にて形成されており、図１に示すように、外カバー本体２１の上端部が取付ベース１０の下面と当接するように配置され、取付ベース１０に対して嵌合構造（又は固定具）等によって固定されている。
【００２８】
また、天面部２２は、流入空間４０を区画するための区画手段である。この天面部２２は、例えば略円形状の板状体にて形成されており、図１から図３に示すように、外カバー本体２１よりも下方において略水平に設けられている。また、図２に示すように、この天面部２２には、表示孔２２ａが設けられている。この表示孔２２ａは、後述する表示部から照射された光を図２のライトガイド１０４ａ及び表示孔２２ａを介して火災検出装置１の外部に導光するための貫通孔である。
【００２９】
（構成−流入空間）
図１に戻り、流入空間４０は、外カバー２０に流入した気体を内カバー３０における気体の流入部分（後述する第１開口部３０ａ）に誘導するための空間であり、図３に示すように、外カバー２０の内部空間のうち、天面部２２と内カバー３０との相互間の隙間が流入空間４０として形成されている。
【００３０】
（構成−内カバー）
内カバー３０は、検出空間６０、検出部カバー７０、検出部本体８０、及び基板１００を収容する内側収容手段であると共に、流入空間４０を区画するための区画手段である。この内カバー３０は、例えば、上面が開放された略中空円柱状体であり、遮光性を有する樹脂材にて形成されており、図３に示すように、外カバー２０の内部において、内カバー３０の下側側部が流入空間４０を介して外カバー２０の天面部２２と対向するように設けられている。また、図３に示すように、内カバー３０の下側側部には、第１開口部３０ａが形成されている。第１開口部３０ａは、流入空間４０に流入された気体を検出空間６０に送るための開口部であり、図３に示すように、内カバー３０の下側側部のうち略中央部及びその近傍部分に設けられている。
【００３１】
（構成−検出空間）
検出空間６０は、検出対象を検出するための空間であり、図３に示すように、内カバー３０の内部空間のうち、検出部カバー７０及び検出部本体８０によって囲繞される空間が検出空間６０として形成されている。
【００３２】
（構成−検出部カバー）
検出部カバー７０は、検出空間６０を区画するための区画手段であると共に、検出空間６０に外乱光が入射することを抑制するための入射抑制手段である。この検出部カバー７０は、上面が開放された略中空円柱状体であり、遮光性を有する樹脂材にて形成されている。また、この検出部カバー７０は、図３に示すように、内カバー３０の内部において、検出部カバー７０の下側側部が第１開口部３０ａ及び流入空間４０を介して外カバー２０の天面部２２と対向するように配置され、検出部本体８０に対して固定されている。また、図３に示すように、検出部カバー７０の下側側部には、第２開口部７０ａが形成されている。第２開口部７０ａは、第１開口部３０ａから送られた気体を検出空間６０に流入するための開口部であり、図３に示すように、検出部カバー７０の下側側部のうち第１開口部３０ａと対応する部分に設けられている。
【００３３】
（構成−防虫網）
防虫網５０は、火災検出装置１の外部にいる虫が検出空間６０に侵入するのを防止するための網である。この防虫網５０は、メッシュ状且つ円形状の網を用いて構成されており、図３に示すように検出部カバー７０に取り付けられている。
【００３４】
（構成−検出部本体）
検出部本体８０は、検出部カバー７０を取り付けるための取付手段であり、検出空間６０に外乱光が入射することを抑制するための入射抑制手段である。この検出部本体８０は、例えば遮光性を有する樹脂材にて形成された肉厚な板状体（一例として、略円形状の板状体）であり、検出部カバー７０よりも基板１００側（図３では、上方側）に設けられており、具体的には、図３に示すように、検出部カバー７０の上面を覆うように配置されており、基板１００に対して固定具等によって固定されている。
【００３５】
（構成−端子盤）
端子盤９０は、内カバー３０、検出部カバー７０、検出部本体８０、及び基板１００を収容するための収容手段である。この端子盤９０は、下面が開放された略中空円柱状であり、例えば遮光性を有する樹脂材にて形成されている。また、この端子盤９０は、図３に示すように、内カバー３０、検出部カバー７０、検出部本体８０、及び基板１００を上方から覆うように設けられ、外カバー２０に対して嵌合構造等によって固定されていると共に、且つ取付ベース１０に対して取付部材９１に形成された第１取付孔（図示省略）を介して固定具等によって固定されている。
【００３６】
（構成−基板）
基板１００は、各種の電気回路（図示省略）が実装される実装手段である。この基板１００は、例えば公知の平板状の回路基板等を用いて構成されており、図３に示すように、端子盤９０の内部において、端子盤９０の上端部及び下端部と間隔を隔てて略水平に配置され、端子盤９０に対して端子盤９０に形成された取付孔（図示省略）及び取付部材９１に形成された第２取付孔（図示省略）を介して固定具によって固定されている。
【００３７】
また、基板１００には、従来の火災検出装置１に用いられる公知の部品（電気部品）が実装されていることに加えて、第１発光部、第２発光部、受光部、表示部、通信部、電源部、制御部、及び記憶部が実装されている（いずれも図示省略）。
【００３８】
（構成−基板−第１発光部、第２発光部、受光部）
このうち、第１発光部は、検出空間６０に検出光（以下、「第１検出光」と称する）を照射する第１発光手段であり、例えば公知の発光素子（一例として赤外ＬＥＤ等）を用いて構成されている。また、第２発光部は、第１検出光とは波長が異なる検出光（以下、「第２検出光」と称する）を検出空間６０に照射する第２発光手段であり、例えば公知の発光素子（一例として青色ＬＥＤ等）を用いて構成されている。また、受光部は、第１発光部から照射された第１検出光の煙による散乱光を受光し、当該受光した散乱光に応じた第１受光信号を出力すると共に、第２発光部から照射された第２検出光の煙に対する散乱光を受光し、当該受光した散乱光に応じた第２受光信号を出力する受光手段であり、例えば公知の受光素子（一例としてフォトダイオード等）を用いて構成されている。また、第１発光部、第２発光部、及び受光部の設置方法については任意であるが、実施の形態では、第１発光部又は第２発光部から照射された第１検出光又は第２検出光が検出部本体８０の各種の光路孔を介して直接的に受光部されることを回避できるように設置している。例えば、第１発光部の光軸（以下、「第１発光側光軸」と称する）と受光部の光軸（以下、「受光側光軸」と称する）との角度が１３５°程度となる位置に、第１発光部及び受光部を設置する。また、第２発光部の光軸（以下、「第２発光側光軸」と称する）と受光側光軸との角度が９０°程度となる位置に、第２発光部及び受光部を設置している。
【００３９】
（構成−基板−表示部、通信部、電源部）
また、表示部は、各種情報（例えば、火災の検出の有無を示す情報）を表示するための表示手段であり、例えば公知の表示手段（ＬＥＤ等）を用いて構成されている。なお、この表示部の投光方法については任意であるが、例えば、内カバー３０、検出部カバー７０、及び検出部本体８０の各々に設けられた挿通孔（図示省略）及び外カバー２０の表示孔２２ａに挿通されたライトガイド１０４ａを介して表示部からの光を火災検出装置１の外部に向けて誘導することにより投光すること等が該当する。また、通信部は、外部装置（例えば、受信機等）との間で通信する通信手段である。また、電源部は、商用電源又は電池（図示省略）から供給された電力を、火災検出装置１の各部に供給する電源手段である。
【００４０】
（構成−基板−制御部、記憶部）
また、制御部は、火災検出装置１を制御する制御手段である。この制御部は、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）及びプログラムや各種のデータを格納するためのＲＡＭの如き内部メモリを備えて構成されるコンピュータである。また、記憶部は、火災検出装置１の動作に必要なプログラム及び各種のデータを記憶する記憶手段である。この記憶部は、書き換え可能な記録媒体を用いて構成され、例えばフラッシュメモリ等の不揮発性記録媒体を用いることができる。
【００４１】
（構成−気体の流入構造）
次に、気体の流入構造について説明する。図４は、外カバー２０を示す平面図である（一部図示省略）。内カバー３０への気体の流入性を高めるための流入構造の特徴については、実施の形態では、以下に示す通りとなる。
【００４２】
（構成−気体の流入構造−第１の特徴）
まず、流入構造の第１の特徴については、図３、図４に示すように、内カバー３０と外カバー２０との相互間の隙間に第１リブ１１１から第８リブ１１８が設けられている。なお、以下では、これら第１リブ１１１から第８リブ１１８を特に区別する必要のないときは、単に「リブ１１０」と総称する。
【００４３】
第１リブ１１１から第８リブ１１８は、流入空間４０を仕切るためのものである。これら第１リブ１１１から第８リブ１１８は、略板状体にて形成され、図４に示すように、外カバー２０の天面部２２と内カバー３０の下側側部の相互間において略垂直に設けられており、外カバー本体２１又は天面部２２に対して接続されている。
【００４４】
また、第１リブ１１１から第８リブ１１８の具体的な構成については、実施の形態では、第１リブ１１１から第８リブ１１８によって天面部２２と内カバー３０との相互間の隙間が仕切られることで、第１流入空間４１から第８流入空間４８が形成されるように、第１リブ１１１から第８リブ１１８が構成されている。
【００４５】
具体的には、まず、第１リブ１１１から第８リブ１１８の形状及び大きさについては、以下の通りに設定している。すなわち、図４に示すように、第１リブ１１１から第８リブ１１８の形状については、長方形状に設定している。また、第１リブ１１１から第８リブ１１８の幅（水平方向の長さ）については、天面部２２の半径と略同一の長さ又は若干短い長さに設定している。また、第１リブ１１１から第８リブ１１８の高さ（上下方向の長さ）については、流入空間４０の上下方向の長さと略同一又はそれよりも短く設定している。
【００４６】
また、第１リブ１１１から第８リブ１１８の設置方法については、第１リブ１１１から第８リブ１１８を、内カバー３０の中心側から外側に向けて放射状に設置（配置）している。より具体的には、図４に示すように、第１リブ１１１から第４リブ１１４を、十字状に配置している。より詳細については、第１リブ１１１及び第３リブ１１３を前後方向に沿うように並設し、且つ相互に当接するように配置していると共に、第２リブ１１２及び第４リブ１１４を前後方向に沿うように並設し、且つ第１リブ１１１と第３リブ１１３との境界部と当接するように配置している。また、第５リブ１１５から第８リブ１１８を、第１リブ１１１から第４リブ１１４同士の相互間にそれぞれ配置している。より詳細については、第５リブ１１５を第１リブ１１１と第２リブ１１２との相互間に配置し、第６リブ１１６を第２リブ１１２と第３リブ１１３との相互間に配置し、第７リブ１１７を第３リブ１１３と第４リブ１１４との相互間に配置し、第８リブ１１８を第１リブ１１１と第４リブ１１４との相互間に配置している。このような設置方法により、流入空間４０を８つ（すなわち、図４に示す第１流入空間４１から第８流入空間４８）に仕切ることができ、且つこれら第１流入空間４１から第８流入空間４８を放射状に形成できるので、外カバー２０に流入する気体の方向依存性を低減できる。
【００４７】
このような第１特徴により、第１流入空間４１から第８流入空間４８によって外カバー２０に流入した気体を内カバー３０における気体の流入部分（すなわち、第１開口部３０ａ）に確実に誘導でき、外カバー２０に流入した気体が内カバー３０に流入することなく外部に流出することを抑制できる。よって、従来技術（カバー部材の内部において、検出空間をラビリンスで覆う技術）に比べて、内カバー３０への気体の流入性を高めることができ、火災検出装置１の検出精度を向上させることができる。
【００４８】
（構成−気体の流入構造−第２の特徴）
次に、流入構造の第２の特徴については、第１リブ１１１から第８リブ１１８のうち一部のリブ１１０が他のリブ１１０と当接しないように、第１リブ１１１から第８リブ１１８が配置されている。
【００４９】
具体的には、図４に示すように、第５リブ１１５から第８リブ１１８は、十字状に配置された第１リブ１１１から第４リブ１１４同士の相互間において他のリブ１１０と当接しないように配置されている。より具体的には、第５リブ１１５は隣接する第１リブ１１１及び第２リブ１１２と間隔を隔てて配置され、第６リブ１１６は隣接する第２リブ１１２及び第３リブ１１３と間隔を隔てて配置され、第７リブ１１７は隣接する第３リブ１１３及び第４リブ１１４と間隔を隔てて配置され、第８リブ１１８は隣接する第１リブ１１１及び第４リブ１１４と間隔を隔てて配置されている。この場合には、例えば、図４に示すように、第５リブ１１５から第８リブ１１８の各々の幅は、第１リブ１１１から第８リブ１１８の各々の幅よりも短く設定される。
【００５０】
このような第２特徴により、第１リブ１１１から第８リブ１１８の各々を他のリブ１１０と当接するように配置した場合に比べて、内カバー３０における気体の流入部分の圧力が過度に高くなることを抑制でき、内カバー３０への気体の流入性を確保しやすくなる。
【００５１】
（構成−気体の流入構造−第３の特徴）
図３に戻り、次に、流入構造の第３の特徴については、図３、図４に示すように、第１流入空間４１から第８流入空間４８のうち、十字状に配置された第１リブ１１１から第４リブ１１４によって仕切られた流入空間（例えば、図４に示すように、第１リブ１１１及び第２リブ１１２によって仕切られた第１流入空間４１及び第２流入空間４２等）に流入した気体が他の流入空間に直接流出しないように、第１リブ１１１から第８リブ１１８が構成されている。
【００５２】
具体的には、まず、第１リブ１１１から第４リブ１１４の高さについては、流入空間４０の上下方向の長さと略同一に設定している。また、第１リブ１１１から第４リブ１１４の各々の上端部が内カバー３０の下側側部と当接すると共に、第１リブ１１１から第４リブ１１４の各々の下端部が外カバー２０の天面部２２と当接するように、第１リブ１１１から第４リブ１１４が配置されている。
【００５３】
このような第３の特徴により、第１リブ１１１から第４リブ１１４によって仕切られた流入空間に流入した気体が他の流入空間に流入することを回避でき（例えば、第１流入空間４１又は第２流入空間４２に流入した気体が第８流入空間４８に流入することを回避でき）、外カバー２０に流入した気体が内カバー３０に流入することなく外部に流出することを一層抑制できる。
【００５４】
なお、この場合において、第５リブ１１５から第８リブ１１８の具体的な構成については任意であるが、実施の形態では、上述した第１リブ１１１から第４リブ１１４と略同様に構成されている。すなわち、第５リブ１１５から第８リブ１１８の高さについては、流入空間４０の上下方向の長さと略同一に設定している。また、第５リブ１１５から第８リブ１１８の各々の上端部が内カバー３０の下側側部と当接すると共に、第５リブ１１５から第８リブ１１８の各々の下端部が外カバー２０の天面部２２と当接するように、第５リブ１１５から第８リブ１１８が配置されている。ただし、これに限らず、第５リブ１１５から第８リブ１１８の高さについては、流入空間４０の上下方向の長さよりも短く設定してもよい。あるいは、第５リブ１１５から第８リブ１１８の各々の上端部又は下端部が内カバー３０の下側側部又は外カバー２０の天面部２２と当接しないように、第５リブ１１５から第８リブ１１８が配置されてもよい。
【００５５】
（構成−気体の流入構造−第４の特徴）
次に、流入構造の第４の特徴については、第１リブ１１１から第８リブ１１８は、内カバー３０又は外カバー２０と一体に形成されており、具体的には、図４に示すように、第１リブ１１１から第８リブ１１８は、外カバー２０と一体に形成されている。ここで、第１リブ１１１から第８リブ１１８と外カバー２０とを一体に形成する方法については任意であるが、例えば、遮光性を有する樹脂材を射出成形することにより形成してもよい。
【００５６】
このような第４の特徴により、第１リブ１１１から第８リブ１１８を簡易に形成でき、火災検出装置１の製造性を向上させることができる。
【００５７】
（火災検出装置の作用について）
続いて、このように構成された火災検出装置１の作用について説明する。
【００５８】
すなわち、例えば、火災によって生じた煙を含む気体が外カバー２０に流入しようとすると、第１流入空間４１から第８流入空間４８の少なくともいずれか１つに流入した気体が当該第１流入空間４１から第８流入空間４８のいずれかによって内カバー３０の第１開口部３０ａまで誘導されるので、外カバー２０に流入した気体が内カバー３０に流入することなく外部に流出することを抑制でき、内カバー３０への気体の流入性を高めることができる。特に、第１リブ１１１から第８リブ１１８によって第１流入空間４１から第８流入空間４８が放射状に形成されているので、外カバー２０に流入する気体の方向依存性を低減できる。また、十字状に配置された第１リブ１１１から第４リブ１１４によって仕切られた流入空間（例えば、第１リブ１１１及び第２リブ１１２によって仕切られた第１流入空間４１及び第２流入空間４２等）に流入した気体が他の流入空間に直接流出しないように、第１リブ１１１から第８リブ１１８が構成されているので、外カバー２０に流入した気体が内カバー３０に流入することなく外部に流出することを抑制できる。そしてさらに、仮に、第１流入空間４１から第８流入空間４８のうち少なくとも２つ以上の流入空間によって気体が同時に誘導されたとしても、第５リブ１１５から第８リブ１１８が他のリブ１１０と当接しないように配置されているので、内カバー３０における気体の第１開口部３０ａの圧力が過度に高くなることを抑制でき、内カバー３０への気体の流入性を確保できる。
【００５９】
（実施の形態の効果）
このように実施の形態によれば、複数のリブ１１０によって隙間が仕切られることで、外カバー２０に流入した気体を内カバー３０における気体の流入部分に誘導するための第１流入空間４１から第８流入空間４８が形成されるように、複数のリブ１１０を構成したので、第１流入空間４１から第８流入空間４８によって外カバー２０に流入した気体を内カバー３０における気体の流入部分に確実に誘導でき、外カバー２０に流入した気体が内カバー３０に流入することなく外部に流出することを抑制できる。よって、従来技術（カバー部材の内部において、検出空間をラビリンスで覆う技術）に比べて、内カバー３０への気体の流入性を高めることができ、火災検出装置１の検出精度を向上させることができる。
【００６０】
また、複数のリブ１１０を、内カバー３０の中心側から外側に向けて放射状に配置したので、第１流入空間４１から第８流入空間４８を放射状に形成でき、外カバー２０に流入する気体の方向依存性を低減できる。
【００６１】
また、複数のリブ１１０の他の一部を、十字状に配置されたリブ１１０同士の相互間において他のリブ１１０と当接しないように配置したので、複数のリブ１１０の各々を他のリブ１１０と当接するように配置した場合に比べて、内カバー３０における気体の流入部分の圧力が過度に高くなることを抑制でき、内カバー３０への気体の流入性を確保しやすくなる。
【００６２】
また、十字状に配置されたリブ１１０によって仕切られた流入空間に流入した気体が他の流入空間に直接流出しないように、複数のリブ１１０を構成したので、十字状に配置されたリブ１１０によって仕切られた流入空間に流入した気体が他の流入空間に流入することを回避でき、外カバー２０に流入した気体が内カバー３０に流入することなく外部に流出することを一層抑制できる。
【００６３】
また、複数のリブ１１０のうち一部のリブ１１０が他のリブ１１０と当接しないように、複数のリブ１１０を配置したので、複数のリブ１１０の各々を他のリブ１１０と当接するように配置した場合に比べて、内カバー３０における気体の流入部分の圧力が過度に高くなることを抑制でき、内カバー３０への気体の流入性を確保しやすくなる。
【００６４】
また、複数のリブ１１０を、外カバー２０と一体に形成したので、複数のリブ１１０を簡易に形成でき、火災検出装置１の製造性を向上させることができる。
【００６５】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００６６】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【００６７】
（気体の流入構造について）
上記実施の形態では、気体の流入構造が、検出空間６０と流入空間４０とが上下方向に並設されている火災検出装置１に適用されていると説明したが、これに限らず、例えば、検出空間６０と流入空間４０とが水平方向に並設されている火災検出装置１に適用されてもよい。
【００６８】
（リブについて）
上記実施の形態では、リブ１１０の設置数が８つであると説明したが、これに限らず、例えば、２つ以上８つ未満であってもよく、あるいは、９つ以上であってもよい。
【００６９】
また、上記実施の形態では、第１リブ１１１から第４リブ１１４が設けられていると説明したが、これに限らず、例えば、第１リブ１１１から第４リブ１１４の少なくとも１つ以上を省略してもよい。また、上記実施の形態では、第５リブ１１５から第８リブ１１８が設けられていると説明したが、これに限らず、例えば、第５リブ１１５から第８リブ１１８の少なくとも１つ以上を省略してもよい。
【００７０】
また、上記実施の形態では、第１リブ１１１から第８リブ１１８の一部を他のリブ１１０と当接しないように配置していると説明したが、これに限らない。図５、図６は、外カバー２０の変形例を示す斜視図である。例えば、図５、図６に示すように、第１リブ１１１から第８リブ１１８の全部を他のリブ１１０と当接しないように配置してもよい。これにより、複数のリブ１１０の各々を他のリブ１１０と当接するように配置した場合に比べて、内カバー３０における気体の流入部分の圧力が過度に高くなることを抑制でき、内カバー３０への気体の流入性を確保しやすくなる。
【００７１】
また、上記実施の形態では、第１リブ１１１から第８リブ１１８の一部を他のリブ１１０と当接するように配置していると説明したが、これに限らない。図７は、外カバー２０の変形例を示す斜視図である。例えば、図７に示すように、第１リブ１１１から第８リブ１１８の全部を他のリブ１１０と当接するように配置してもよい。
【００７２】
また、上記実施の形態では、第１リブ１１１から第４リブ１１４によって仕切られた流入空間に流入した気体が他の流入空間に直接流出しないように、第１リブ１１１から第８リブ１１８が構成されていると説明したが、これに限らない。例えば、第１リブ１１１から第４リブ１１４によって仕切られた流入空間に流入した気体が他の流入空間に直接流出するように（ただし、流出量がごくわずかであること）、第１リブ１１１から第８リブ１１８が構成されてもよい（すなわち、リブ１１０と内カバー３０の下側側部又は外カバー２０の天面部２２との相互間に隙間が形成されるように構成されてもよい）。この場合には、第１リブ１１１から第４リブ１１４の高さについては、流入空間４０の上下方向の長さよりも短く設定してもよい。あるいは、第１リブ１１１から第４リブ１１４の各々の上端部又は下端部が内カバー３０の下側側部又は外カバー２０の天面部２２と当接しないように、第１リブ１１１から第４リブ１１４が配置されてもよい。
【００７３】
また、上記実施の形態では、第１リブ１１１から第８リブ１１８は、外カバー２０と一体に形成されていると説明したが、これに限らない。例えば、第１リブ１１１から第８リブ１１８は、内カバー３０と一体に形成されてもよい。あるいは、第１リブ１１１から第８リブ１１８の一部は、外カバー２０又は内カバー３０のいずれか一方と一体に形成され、第１リブ１１１から第８リブ１１８の他の一部は、外カバー２０又は内カバー３０のいずれか他方と一体に形成されてもよい。あるいは、第１リブ１１１から第８リブ１１８は、外カバー２０と別体に形成されてもよい。
【００７４】
（付記）
付記１の火災検出装置は、監視領域の火災を検出するための火災検出装置であって、検出対象の検出を行う検出空間と、前記検出空間を収容する内側収容手段であって、前記検出対象を含む気体を当該内側収容手段に流入出させることが可能な内側収容手段と、前記内側収容手段を収容する外側収容手段であって、前記気体を当該外側収容手段に流入出させることが可能な外側収容手段と、前記内側収容手段と前記外側収容手段との相互間の隙間に設けられた複数のリブと、を備え、前記複数のリブによって前記隙間が仕切られることで、前記外側収容手段に流入した前記気体を前記内側収容手段における前記気体の流入部分に誘導するための流入空間が複数形成されるように、前記複数のリブを構成した。
【００７５】
また、付記２の火災検出装置は、付記１に記載の火災検出装置において、前記複数のリブを、前記内側収容手段の中心側から外側に向けて放射状に配置した。
【００７６】
また、付記３の火災検出装置は、付記２に記載の火災検出装置において、前記複数のリブの一部を、十字状に配置し、前記複数のリブの他の一部を、前記十字状に配置されたリブ同士の相互間において他のリブと当接しないように配置した。
【００７７】
また、付記４の火災検出装置は、付記３に記載の火災検出装置において、前記十字状に配置されたリブによって仕切られた前記流入空間に流入した前記気体が他の流入空間に流出しないように、前記複数のリブを構成した。
【００７８】
また、付記５の火災検出装置は、付記１又は２に記載の火災検出装置において、前記複数のリブのうち少なくとも一部のリブが他のリブと当接しないように、前記複数のリブを配置した。
【００７９】
また、付記６の火災検出装置は、付記１から５のいずれか一項に記載の火災検出装置において、前記複数のリブを、前記内側収容手段又は前記外側収容手段と一体に形成した。
【００８０】
（付記の効果）
付記１に記載の火災検出装置によれば、複数のリブによって隙間が仕切られることで、外側収容手段に流入した気体を内側収容手段における気体の流入部分に誘導するための流入空間が複数形成されるように、複数のリブを構成したので、複数の流入空間によって外側収容手段に流入した気体を内側収容手段における気体の流入部分に確実に誘導でき、外側収容手段に流入した気体が内側収容手段に流入することなく外部に流出することを抑制できる。よって、従来技術（カバー部材の内部において、検出空間をラビリンスで覆う技術）に比べて、内側収容手段への気体の流入性を高めることができ、火災検出装置の検出精度を向上させることができる。
【００８１】
付記２に記載の火災検出装置によれば、複数のリブを、内側収容手段の中心側から外側に向けて放射状に配置したので、複数の流入空間を放射状に形成でき、外側収容手段に流入する気体の方向依存性を低減できる。
【００８２】
付記３に記載の火災検出装置によれば、複数のリブの他の一部を、十字状に配置されたリブ同士の相互間において他のリブと当接しないように配置したので、複数のリブの各々を他のリブと当接するように配置した場合に比べて、内側収容手段における気体の流入部分の圧力が過度に高くなることを抑制でき、内側収容手段への気体の流入性を確保しやすくなる。
【００８３】
付記４に記載の火災検出装置によれば、十字状に配置されたリブによって仕切られた流入空間に流入した気体が他の流入空間に流出しないように、複数のリブを構成したので、十字状に配置されたリブによって仕切られた流入空間に流入した気体が他の流入空間に流入することを回避でき、外側収容手段に流入した気体が内側収容手段に流入することなく外部に流出することを一層抑制できる。
【００８４】
付記５に記載の火災検出装置によれば、複数のリブのうち少なくとも一部のリブが他のリブと当接しないように、複数のリブを配置したので、複数のリブの各々を他のリブと当接するように配置した場合に比べて、内側収容手段における気体の流入部分の圧力が過度に高くなることを抑制でき、内側収容手段への気体の流入性を確保しやすくなる。
【００８５】
付記６に記載の火災検出装置によれば、複数のリブを、内側収容手段又は外側収容手段と一体に形成したので、複数のリブを簡易に形成でき、火災検出装置の製造性を向上させることができる。
【符号の説明】
【００８６】
１  火災検出装置
２  設置面
１０  取付ベース
２０  外カバー
２１  外カバー本体
２２  天面部
２２ａ  表示孔
３０  内カバー
３０ａ  第１開口部
４０  流入空間
４１  第１流入空間
４２  第２流入空間
４３  第３流入空間
４４  第４流入空間
４５  第５流入空間
４６  第６流入空間
４７  第７流入空間
４８  第８流入空間
５０  防虫網
６０  検出空間
７０  検出部カバー
７０ａ  第２開口部
８０  検出部本体
９０  端子盤
９１  取付部材
１００  基板
１０４ａ  ライトガイド
１１０  リブ
１１１  第１リブ
１１２  第２リブ
１１３  第３リブ
１１４  第４リブ
１１５  第５リブ
１１６  第６リブ
１１７  第７リブ
１１８  第８リブ
【図１】
2020013396.tif 000003
【図２】
2020013396.tif 000004
【図３】
2020013396.tif 000005
【図４】
2020013396.tif 000006
【図５】
2020013396.tif 000007
【図６】
2020013396.tif 000008
【図７】
2020013396.tif 000009